【手続補正書】
【提出日】平成20年8月18日(2008.8.18)
【手続補正１】
【補正対象書類名】特許請求の範囲
【補正対象項目名】全文
【補正方法】変更
【補正の内容】
【特許請求の範囲】
【請求項１】
携帯通信デバイスでメディアを編成することを容易にするシステムにおいて、
ビジュアルコンテンツを受信するビデオ入力コンポーネントと、
他のコンテンツを前記ビジュアルコンテンツのサブセットに関連づけるオーサリングコンポーネントと
を備えたことを特徴とする携帯通信デバイスでメディアを編成することを容易にするシステム。
【請求項２】
前記携帯通信デバイスが、カメラおよびオーディオ入力コンポーネントの少なくとも１つを備えた携帯電話であることを特徴とする請求項１に記載のシステム。
【請求項３】
オーディオコンテンツを受信するオーディオ入力コンポーネントをさらに備え、前記オーサリングコンポーネントが前記オーディオコンテンツを前記ビジュアルコンテンツの前記サブセットに関連づけることを特徴とする請求項１に記載のシステム。
【請求項４】
テキストデータを受信するテキスト入力コンポーネントをさらに備え、前記オーサリングコンポーネントが前記テキストデータを前記ビジュアルコンテンツの前記サブセットに関連づけることを特徴とする請求項１に記載のシステム。
【請求項５】
前記ビジュアルコンテンツのサブセットを前記他のコンテンツと結合してコンピレーション（編集物）を生成するバインディングコンポーネントをさらに備えたことを特徴とする請求項１に記載のシステム。
【請求項６】
前記バインディングコンポーネントが、前記ビジュアルコンテンツおよび他のコンテンツを同時並行して受信し、前記コンピレーションを自動生成することを特徴とする請求項５に記載のシステム。
【請求項７】
前記コンピレーションのプレゼンテーションを容易にする表示コンポーネントをさらに備えたことを特徴とする請求項５に記載のシステム。
【請求項８】
前記コンピレーションの配布を容易にする共有コンポーネントをさらに備えたことを特徴とする請求項５に記載のシステム。
【請求項９】
前記関連づけられたコンテンツの配布を容易にする共有コンポーネントをさらに備えたことを特徴とする請求項１に記載のシステム。
【請求項１０】
請求項９に記載のシステムの前記関連づけられたビジュアルコンテンツのサブセットおよび前記他のコンテンツを受信し、該受信したコンテンツのコンピレーションを生成することを特徴とする電子メールシステム。
【請求項１１】
前記コンピレーションがスライドショーであることを特徴とする請求項１０に記載のシステム。
【請求項１２】
前記コンピレーションが注釈付きビデオであることを特徴とする請求項１０に記載のシステム。
【請求項１３】
前記関連づけられたビジュアルコンテンツのサブセットおよび前記他のコンテンツを受信し、該受信したコンテンツのコンピレーションを生成するコンピュータをさらに備えたことを特徴とする請求項９に記載のシステム。
【請求項１４】
ユーザが前記ビジュアルコンテンツのサブセットを選択することを容易にする関連づけコンポーネントをさらに備えたことを特徴とする請求項１に記載のシステム。
【請求項１５】
請求項９に記載のシステムの前記関連づけられたビジュアルコンテンツのサブセットおよび前記他のコンテンツを受信し、該受信したコンテンツのコンピレーションを生成することを特徴とするコンピュータ。
【請求項１６】
前記共有コンポーネントが、前記関連づけられたビジュアルコンテンツのサブセットの、ウェブロッグ（ＢＬＯＧ）へのエントリを容易にすることを特徴とする請求項９に記載のシステム。
【請求項１７】
前記関連づけられたビジュアルコンテンツのサブセットを、第２の携帯通信デバイスの第２の関連づけられたビジュアルコンテンツのサブセットと結合するコラボレーションコンポーネントをさらに備えたことを特徴とする請求項１に記載のシステム。
【請求項１８】
請求項１に記載のシステムを実施するためのコンピュータ実行可能命令を格納したことを特徴とするコンピュータ可読記録媒体。
【請求項１９】
これまでのユーザ判断基準に応じてユーザの意向を学習する人工知能コンポーネントをさらに備えたことを特徴とする請求項１に記載のシステム。
【請求項２０】
前記人工知能コンポーネントが、前記ユーザの意向に応じたコンテンツの自動関連づけを容易にする推論コンポーネントを含むことを特徴とする請求項１９に記載のシステム。
【請求項２１】
前記推論コンポーネントが、前記関連づけを実行する際に利用性に基づく分析を使用することを特徴とする請求項２０に記載のシステム。
【請求項２２】
ユーザが自動実行されることを望むアクションを推論するために統計に基づく分析を使用する人工知能コンポーネントをさらに備えたことを特徴とする請求項１に記載のシステム。
【請求項２３】
マルチメディアプレゼンテーションの生成を容易にするシステムにおいて、
ビジュアルコンテンツを生成する画像キャプチャコンポーネントおよびオーディオコンテンツを生成するマイクロフォンを含むハンドヘルドデバイスと、
１つまたは複数の画像を含むビジュアルコンテンツを受信するビジュアル入力コンポーネントと、
１つまたは複数のサウンドを含むオーディオコンテンツを受信するオーディオ入力コンポーネントと、
少なくとも１つの画像を少なくとも１つのサウンドと結合して前記マルチメディアプレゼンテーションを生成するオーサリングコンポーネントと
を備えたことを特徴とするマルチメディアプレゼンテーションの生成を容易にするシステム。
【請求項２４】
前記ハンドヘルドデバイスが携帯電話であることを特徴とする請求項２３に記載のシステム。
【請求項２５】
前記マルチメディアプレゼンテーションを当事者へ送信するための共有コンポーネントをさらに備えたことを特徴とする請求項２３に記載のシステム。
【請求項２６】
前記マルチメディアプレゼンテーションを表示する表示コンポーネントをさらに備えたことを特徴とする請求項２３に記載のシステム。
【請求項２７】
少なくとも１つの画像またはビデオに対応するテキストデータの入力を容易にするテキスト入力コンポーネントをさらに備え、前記オーサリングコンポーネントが前記テキストデータを前記少なくとも１つの画像またはビデオと結合することを特徴とする請求項２３に記載のシステム。
【請求項２８】
請求項２５に記載のシステムを実施するためのコンピュータ実行可能命令を格納したことを特徴とするコンピュータ可読記録媒体。
【請求項２９】
携帯通信デバイスによりメディアを編成することを容易にする方法において、
ビジュアルコンテンツを受信し、
他のコンテンツを受信し、
前記ビジュアルコンテンツを前記他のコンテンツに関連づける
ことを特徴とする携帯通信デバイスによりメディアを編成することを容易にする方法。
【請求項３０】
前記他コンテンツがオーディオコンテンツであることを特徴とする請求項２９に記載の方法。
【請求項３１】
前記他コンテンツがテキストデータであることを特徴とする請求項２９に記載の方法。
【請求項３２】
前記関連づけられたコンテンツを結び付けてコンピレーションを生成することをさらに含むことを特徴とする請求項２９に記載の方法。
【請求項３３】
前記関連づけられたコンテンツを受信し、前記関連づけられたコンテンツからコンピレーションを生成することをさらに含むことを特徴とする請求項２９に記載の方法。
【請求項３４】
前記コンピレーションを表示することをさらに含むことを特徴とする請求項３３に記載の方法。
【請求項３５】
前記関連づけられたコンテンツを電子メールにより受信し、前記関連づけられたコンテンツのコンピレーションを生成することをさらに含むことを特徴とする請求項２９に記載の方法。
【請求項３６】
前記関連づけられたコンテンツをウェブロッグに入力することをさらに含むことを特徴とする請求項２９に記載の方法。
【請求項３７】
携帯ハンドヘルドデバイスによりビジュアルコンテンツおよび他のコンテンツのコンピレーションを作成するシステムにおいて、
前記ビジュアルコンテンツを受信する手段と、
前記他のコンテンツを受信する手段と、
前記ビジュアルコンテンツを前記他のコンテンツに関連づける手段と
を備えたことを特徴とするコンピレーションを作成するシステム。
【請求項３８】
前記関連づけられたコンテンツを結び付けてコンピレーションを生成する手段をさらに備えたことを特徴とする請求項３７に記載のシステム。
【請求項３９】
前記コンピレーションを表示する手段をさらに備えたことを特徴とする請求項３８に記載のシステム。
【請求項４０】
前記コンピレーションをブロッグに投稿する手段をさらに備えたことを特徴とする請求項３８に記載のシステム。
【請求項４１】
前記コンピレーションを電子メールサーバへ送信する手段と、前記コンピレーションを自動的に解釈する手段とをさらに備えたことを特徴とする請求項３８に記載のシステム。
【請求項４２】
代替ソースから他のコンテンツのサブセットを受信する手段をさらに備えたことを特徴とする請求項３８に記載のシステム。
【請求項４３】
前記代替ソースが第２の携帯通信デバイスであることを特徴とする請求項４２に記載のシステム。
【請求項４４】
代替ソースからの前記他のコンテンツのサブセットを前記関連づけられたコンテンツに結合する手段をさらに備えたことを特徴とする請求項４２に記載のシステム。